(57)【要約】      （修正有）【課題】幅が狭く奥行きが長いスリムタイプの米びつにおいて、米受け容器の抜き差しを容易にして使い勝手を向上させる。【解決手段】所定量の米を収容する米貯蔵部と、米貯蔵部内の米を所定単位で計量して排出する米計量部と、米計量部から計量排出された米を受ける米受け容器とを備えた計量米びつにおいて、米受け容器は、米びつ本体の前面下部に開口した抜き差し口から抜き差しされ、抜き差し口に抜き差しする側の形状を、平面視で先端にいくに従って幅寸法が狭くなるようにした。【選択図】図６
0003204644.tif 000002
【実用新案登録請求の範囲】
【請求項１】
所定量の米を収容する米貯蔵室と、該米貯蔵室内の米を所定単位で計量して排出する計量部と、該計量部から計量排出された米を受ける米受け容器とを備えた計量米びつにおいて、
前記米受け容器は、米びつ本体の前面下部に開口した抜き差し口から抜き差しされ、該抜き差し口に抜き差しする側の形状を、平面視で先端にいくに従って幅寸法が狭くなるようにしたことを特徴とする計量米びつ。
【請求項２】
前記米受け容器は、前記抜き差し口に抜き差しする側の形状を、平面視で容器側面から端部にかけて曲面を有する半円形から半楕円形としたことを特徴とする上記請求項１記載の計量米びつ。
【請求項３】
前記米受け容器は、前記抜き差し口に抜き差しする側の形状を、平面視で容器側面から端部にかけてテーパ面を有するテーパ形としたことを特徴とする上記請求項１記載の計量米びつ。
【考案の詳細な説明】
【技術分野】
【０００１】
本考案は、米を貯蔵保管し、定量の米を計量して取り出すための計量米びつに関する。
【背景技術】
【０００２】
一般的に知られている計量米びつは、所定量の米を収容する米貯蔵室と、米貯蔵室内の米を所定量単位で計量する計量部と、計量部で計量された米を受ける米受け容器とを筐体内に上から順番に配置した構造を有している。この種の計量米びつの中には、台所の僅かな隙間への設置を目的としたスリムタイプのものも知られている。
【０００３】
スリムタイプの米びつでは、筐体の幅寸法を狭くしている分、米貯蔵室の容量を確保するために、奥行き寸法が長くなり、それに合わせて米受け容器も横幅が狭く、奥行きが長い形状となる。この米受け容器を筐体の前面に形成される抜き差し口から抜き差しする場合、特許文献１に示すような直方体の米受け容器、すなわち抜き差しする側の形状が角形であると、抜き差し口の正面から直線的に容器を出し入れする必要があり、使い勝手が悪かった。
【先行技術文献】
【特許文献】
【０００４】
【特許文献１】特許第３７０８４１６号公報
【考案の概要】
【考案が解決しようとする課題】
【０００５】
そこで本考案は、幅が狭く奥行きが長いスリムタイプの米びつにおいて、米受け容器の抜き差しを容易にして使い勝手を向上させることを課題とする。
【課題を解決するための手段】
【０００６】
このような課題を解決するために本考案は、所定量の米を収容する米貯蔵室と、該米貯蔵室内の米を所定単位で計量して排出する計量部と、該計量部から計量排出された米を受ける米受け容器とを備えた計量米びつにおいて、米受け容器は、米びつ本体の前面下部に開口した抜き差し口から抜き差しされ、該抜き差し口に抜き差しする側の形状を、平面視で先端にいくに従って幅寸法が狭くなるようにした。
【０００７】
米受け容器は、抜き差し口に抜き差しする側の形状を、平面視で容器側面から端部にかけて曲面を有する半円形から半楕円形とした。また、米受け容器は、抜き差し口に抜き差しする側の形状を、平面視で容器側面から端部にかけてテーパ面を有するテーパ形とした。
【考案の効果】
【０００８】
本考案によれば、米受け容器の挿入側を平面視で先細りとしたため、米受け容器を斜め方向から抜き差し口に挿入することができ、出し入れしやすい。また、取り出した米をボールや炊飯釜に移し替える際に、米がこぼれ落ちることがなく、使い勝手がよい。
【図面の簡単な説明】
【０００９】
【図１】本考案の計量米びつを示す外観図である。
【図２】同米びつの内部断面図である。
【図３】蓋体付近の一部断面図である。
【図４】計量室の構造を示す説明図である。
【図５】米受け容器の構造を示す説明図である。
【図６】米受け容器の抜き差し状態を示す説明図である。
【図７】別の実施態様を示す説明図である。
【考案を実施するための最良の形態】
【００１０】
以下、図面を用いて本考案の実施態様について説明する。図１は本考案の計量米びつの外観図、図２は内部断面図である。本考案の計量米びつは、横幅を狭く、奥行きを長くした全体形状をなし、台所の隙間などに収容して使用される。米びつ本体は、所定量の米を貯蔵する米貯蔵部１と、該米貯蔵部１に貯蔵された米を計量排出する米計量部２を上下に配置して構成される。
【００１１】
米貯蔵部１は、上面及び下面を開口した透明もしくは半透明のケーシング３によって外周を形成し、上面開口に着脱式の蓋体４を取り付けて米投入口５を形成し、下面開口を米計量部２の上部に接合して所定量の米が収容される貯蔵室６を形成している。貯蔵室６に貯蔵された米は、透明もしくは半透明のケーシング３によってその残量が目視で確認できるようになっている。
【００１２】
ケーシング３の上面開口は、前面側を斜めにカットして貯蔵室６への米の投入をし易くしてある。また、上面開口には、開口縁に沿って枠体７を取り付け、この枠体７を正面断面凸状に形成することで蓋体４が外嵌される。蓋体４は、上面の重心位置に把手部８を形成しており、この把手部８は、蓋体４の上面から円形に凹設した凹陥部８ａと、この凹陥部８ａの中心から凸設した摘まみリブ８ｂとから構成する。尚、このリブ８ｂは、図示しないが、滑りにくいようにローレット加工を施すことが望ましい。
【００１３】
この蓋体４は、図３に示すように、外殻が枠体７に外嵌し、把手部８の凹陥部８ａが枠体７に内嵌するように取り付けられる。このとき、凹陥部８ａの外寸を枠体７の幅内寸と略同じにすることで、蓋体４を装着する時には凹陥部８ａを枠体７内の適宜位置に嵌めた状態でスライドさせることで蓋体４の装着位置に案内し、蓋体４を装着した状態ではがたつきの少ない状態で装着位置に保持する機能を与える。
【００１４】
米計量部２は、上面に貯蔵室６の底面を併用する漏斗部９と、この漏斗部９によって案内される米取出口１０を開口し、この米取出口１０の下方に連結される計量室１１と、計量室１１で計量された定量の米を受ける米受け容器１２を内装している。計量室１１は、上面，底面及び前面を開放した平面視コ字状に形成され、上面に米流出口１０と連通する米導入口１１ａ、底面に米受け容器１２に対面する米排出口１１ｂを形成するとともに、前面に米導入口１１ａと米排出口１１ｂの間で米の流通を遮断する計量升１３を回動自在に取り付けている。
【００１５】
また、米計量部２の前面には、計量升１３を作動する計量キー１４を突出するとともに、米受け容器１２が抜き差しされる抜き差し口１５を開口している。尚、１６は移動用車輪で、米びつ本体の後方２箇所に設けられ、米を補充するとき等に本体を引き出す際に用いられる。
【００１６】
図４は計量室１１を拡大した説明図である。
計量升１３は、上部に計量室１１の米流入口１１ａを開閉するための円弧状の遮蔽板１３ａを形成し、下部に計量室１１の米流出口１１ｂを開閉するための平板状の遮蔽板１３ｂを形成している。また、計量升１３の背面には、各遮蔽板１３ａ，１３ｂ間の略中心となる位置に軸ピン１７が貫通する軸リブ１３ｃが形成されるとともに、上部遮蔽板１３ａの円弧形状と合わせて軸リブ１３ｃの水平位置まで延長した扇形の押上リブ１３ｄが形成されている。軸ピン１７には、コイルバネ１８が巻回されており、バネ１８の一端を計量升１３の背面に連係し、他端を計量室１１に取り付けたガイドピン１９に連係して計量升１３を通常位置に付勢している。
【００１７】
計量キー１４は、前部に操作部１４ａを形成し、後部にＬ型の作動アーム１４ｂを形成した形状をなし、操作部１４ａを米計量部２の前面に突出し、作動アーム１４ｂを計量升１３の押上リブ１３ｄに連係させた状態で取り付けられる。計量キー１４の略中心部には、計量キー１４を揺動支持する軸ピン２０が貫通する軸孔１４ｃが開口され、操作部１４ａを押し込むことで、作動アーム１４ｂが上方に回動し、計量升１３の押上リブ１３ｄを回動変位させる。軸ピン２０には、コイルバネ２１が巻回されており、バネ２１の一端を作動アーム１４ｂに連係し、他端を計量室１１に取り付けたガイドピン１９に連係して計量キー１４を通常位置に付勢している。
【００１８】
通常、計量升１３は、図４（ａ）に示すように、バネ１８により上部遮蔽板１３ａが計量室１１の米導入口１１ａを開き、下部遮蔽板１３ｂが計量室１１の米排出口１１ｂを閉じる通常位置に付勢されている。また、計量キー１４は、バネ２１により操作部１４ａが略水平となる通常位置に付勢されている。この状態で、米取出口１０に連結される計量升１３内には米導入口１１ａを通じて米貯蔵部２から一定量（ここでは１合）の米が貯留される。
【００１９】
ここから、計量キー１４の操作部１４ａを下方に押し込むと、図４（ｂ）に示すように、計量キー１４がバネ２１の付勢に抗して軸ピン２０を中心に回動し、作動アーム１４ｂを押し上げる。すると、作動アーム１４ｂが連係した押上リブ１３ｄが押し上げられ、計量升１３がバネ１８の付勢に抗して軸ピン１７を中心に回動し、上部遮蔽板１３ａが計量室１１の米導入口１１ａを閉じ、下部遮蔽板１３ｂが計量室１１の米排出口１１ｂを開く位置まで変位する。この位置で、計量升１３内への米の導入が遮断され、計量升１３内に貯留した米が米受け容器１２に排出される。
【００２０】
これにより、米受け容器１２には、計量升１３で計量された一定量（１合）の米を取り出すことができる。その後、操作部１４ａの押し込みを解除すると、各バネ１８・２１の付勢により計量升１３と計量キー１４が通常位置に復帰し、計量升１３内に再び米が貯留されることになる。
【００２１】
図５は米受け容器１２を拡大した説明図である。
米受け容器１２は、前方に把手１２ａを形成し、把手１２ａの後方に容器部１２ｂを形成している。容器部１２ｂの後端は、端部にいくに従って幅寸法が狭くなるような形状をなし、米計量部２の抜き差し口１５への装着を容易にしている。
【００２２】
図６に示すように、後端を角形とすると、米計量部２の抜き差し口１５に挿入する際に、容器幅と開口幅が略等しいために、容器を開口に正対させた状態から略直線的に挿入しなければならず、ズレの許容範囲は極めて狭く入れにくい。一方、後端を半楕円形とすると、曲面部分によって抜き差し口１５への挿入がガイドされるため、斜め方向から抜き差し口１５に挿入することができ、ズレの許容範囲は広くなり出し入れしやすくなる。特に、横幅を狭く、奥行きを長くし、台所の隙間などに収容して使用される計量米びつにおいては、限られた設置スペースの中で米受け容器の出し入れを余儀なくされるため、有意義に使用することができる。
【００２３】
また、米受け容器１０の後端を、端部にいくに従って幅寸法が狭くなるような形状としたことで、取り出した米をボールや炊飯釜に移し替える際にも米を絞って排出することができるので、米がこぼれ落ちることがなく、使い勝手がよいという効果もある。
【００２４】
尚、ここでは米受け容器１２の後端を半楕円形にした形状を例示したが、図７に示すように、半円形・テーパ形等でもよく、先細りであれば同様の効果を得ることができる。
【符号の説明】
【００２５】
１    米貯蔵部
２    米計量部
３    ケーシング
４    蓋体
６    貯蔵室
１０  米取出口
１１  計量室
１２  米受け容器
１３  計量升
１４  計量キー
１５  抜き差し口
【図１】
0003204644.tif 000003
【図２】
0003204644.tif 000004
【図３】
0003204644.tif 000005
【図４】
0003204644.tif 000006
【図５】
0003204644.tif 000007
【図６】
0003204644.tif 000008
【図７】
0003204644.tif 000009